【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
少なくともコンテンツに対する制御情報を含むメタデータを取得し、前記メタデータを検証するメタデータ検証手段と、
前記コンテンツと前記メタデータとの対応関係を含むメタデータアクセス制御情報を取得し、前記メタデータアクセス制御情報を検証するメタデータアクセス制御情報検証手段と、
前記コンテンツを取得し、前記コンテンツを検証するコンテンツ検証手段と、
前記メタデータの検証結果と、前記メタデータアクセス制御情報の検証結果と、前記コンテンツの検証結果に応じて、前記コンテンツに対する前記メタデータによる制御の可否を判定するメタデータ判定手段と、
前記メタデータ判定手段の可否判定により前記メタデータを用いてコンテンツを利用するコンテンツ利用手段を備えたことを特徴とするコンテンツ受信装置。
【請求項２】
前記メタデータ検証手段では前記メタデータの提供者情報を検証し、
前記メタデータアクセス制御情報検証手段では前記メタデータアクセス制御情報の提供者情報を検証し、
前記メタデータ判定手段では、メタデータ検証手段によって検証された前記メタデータの提供者情報と、前記メタデータアクセス制御情報検証手段により検証された前記メタデータアクセス制御情報の提供者情報とが、提供者として許可されたことを含む同一であるときに、
前記コンテンツに対する前記メタデータによる制御が可能と判定することを特徴とする請求項１記載のコンテンツ受信装置。
【請求項３】
前記メタデータ検証手段は、暗号化されて伝送された前記メタデータを取得し、当該メタデータ取得先のサーバ証明書、もしくは前記サーバ証明書に記述されている情報によりメタデータを検証することを特徴とする請求項１記載のコンテンツ受信装置。
【請求項４】
前記メタデータ検証手段は、暗号化されて伝送された前記メタデータを取得し、前記メタデータを復号化するライセンス情報に含まれる復号化鍵でメタデータを復号化し、前記復号化したメタデータ中に記載されている情報によりメタデータを検証することを特徴とする請求項１記載のコンテンツ受信装置。
【請求項５】
前記メタデータ検証手段は、前記メタデータに付与されている署名を検証できた証明書、もしくは前記証明書に記述されている情報によりメタデータを検証することを特徴とする請求項１記載のコンテンツ受信装置。
【請求項６】
前記コンテンツ検証手段は、暗号化されて伝送された前記コンテンツを取得し、前記コンテンツを復号化するライセンス情報に含まれる復号化鍵を利用したコンテンツの復号の可否によってコンテンツを検証することを特徴とする請求項１記載のコンテンツ受信装置。
【請求項７】
前記メタデータアクセス制御情報は、前記コンテンツの復号化鍵を含むライセンス情報に含まれ、前記ライセンス情報に含まれる復号化鍵を利用して復号可能なコンテンツに対応付けられる情報とすることを特徴とする請求項１記載のコンテンツ受信装置。
【請求項８】
前記メタデータは、少なくともコンテンツの再生制御情報を含み、前記コンテンツの利用とは前記メタデータに記載された再生制御情報に従ったコンテンツの再生であることを特徴とする請求項１記載のコンテンツ受信装置。
【請求項９】
前記メタデータは、少なくともコンテンツの蓄積制御情報を含み、前記コンテンツの利用とは、前記蓄積制御情報に従ったコンテンツの蓄積であることを特徴とする請求項１記載のコンテンツ受信装置。
【請求項１０】
前記メタデータは、少なくとも前記コンテンツ再生時に他の情報に画面を切り替えるためのリンク情報を含み、
前記コンテンツの利用とは、前記リンク情報に従って、前記コンテンツ再生時に前記他の情報に画面を切り替えることを特徴とする請求項１記載のコンテンツ受信装置。
【請求項１１】
少なくともコンテンツに対する制御情報を含むメタデータを取得し、前記メタデータを検証するステップと、
前記コンテンツと前記メタデータとの対応関係を含むメタデータアクセス制御情報を取得し、前記メタデータアクセス制御情報を検証するステップと、
前記コンテンツを取得し、前記コンテンツを検証するステップと、
前記メタデータの検証結果と、前記メタデータアクセス制御情報の検証結果と、前記コンテンツの検証結果に応じて、前記コンテンツに対する前記メタデータによる制御の可否を判定するステップと、
前記メタデータ判定手段の可否判定により前記メタデータを用いてコンテンツを利用するステップを有することを特徴とするメタデータアクセス制御方法。
【請求項１２】
前記メタデータを検証するステップでは前記メタデータの提供者情報を検証し、
前記メタデータアクセス制御情報を検証するステップでは前記メタデータアクセス制御情報の提供者情報を検証し、
前記メタデータ判定するステップでは、前記メタデータを検証するステップによって検証された前記メタデータの提供者情報と、前記メタデータアクセス制御情報を検証するステップにより検証された前記メタデータアクセス制御情報の提供者情報とが、提供者として許可されたことを含む同一であるときに、
前記メタデータによる制御の可能と判定することを特徴とする請求項１１記載のメタデータアクセス制御方法。
【請求項１３】
少なくともコンテンツに対する制御情報を記述したメタデータを生成するメタデータ生成手段と、受信装置がメタデータの発行元或いはコンテンツを識別するための情報を検証するための検証情報を付与するメタデータ検証情報付加手段とを備えたメタデータ送信装置と、
コンテンツヘのメタデータによる制御の可否のためにコンテンツとメタデータとの関係を指定するためのメタデータアクセス制御情報を生成するメタデータアクセス制御情報生成手段と、受信装置が前記メタデータアクセス制御情報或いはメタデータの識別情報或いは発行元情報或いは入手先情報或いはメタデータが改ざんされていないことのいずれか一つ以上を検証するための検証情報をメタデータアクセス制御情報に付与するメタデータアクセス制御情報検証情報付加手段とを備えたメタデータアクセス制御情報送信装置と、
コンテンツを生成するコンテンツ生成手段と、受信装置がコンテンツの識別子情報或いは発行元情報或いは入手先情報のいずれか一つ以上検証するための情報を付与するコンテンツ検証情報付加手段とを備えたコンテンツ送信装置と、
コンテンツに対する制御情報を含むメタデータを取得し、前記メタデータを検証するメタデータ検証手段と、
前記コンテンツと前記メタデータとの対応関係を含むメタデータアクセス制御情報を取得し、前記メタデータアクセス制御情報を検証するメタデータアクセス制御情報検証手段と、
前記コンテンツを取得し、前記コンテンツを検証するコンテンツ検証手段と、
前記メタデータの検証結果と、前記メタデータアクセス制御情報の検証結果と、前記コンテンツの検証結果に応じて、前記コンテンツに対する前記メタデータによる制御の可否を判定するメタデータ判定手段と、
前記メタデータ判定手段の可否判定により前記メタデータを用いてコンテンツを利用するコンテンツ利用手段を備えたコンテンツ受信装置と、
から構成されることを特徴とするメタデータアクセス制御システム。
【請求項１４】
前記メタデータアクセス制御システムのコンテンツ受信装置のメタデータ判定手段による制御の可否判定は、
前記メタデータ検証手段ではメタデータの提供者情報を検証し、
前記メタデータアクセス制御情報検証手段ではメタデータアクセス制御情報の提供者情報を検証し、
前記メタデータ判定手段では、メタデータ検証手段によって検証されたメタデータの提供者情報と、前記メタデータアクセス制御情報検証手段により検証された前記メタデータアクセス制御情報の提供者情報が提供者として許可されたことを含む同一であるときに、
前記コンテンツに対する前記メタデータによる制御可能と判定することを特徴とする請求項１３記載のメタデータアクセス制御システム。